(57)【特許請求の範囲】
【請求項１】
給水タンクと、スチーム発生用のヒータと、給水タンク内の水をヒータに供給してスチームを発生させる吸水体と、スチームを噴出させるスチーム噴出孔とを備えたスチームヘアーセッターにおいて、給水タンク内部に給水体を囲む囲い壁を設けると共に、囲い壁の一部に給水タンク内部と囲い壁内部とを連通させる連通口を形成し、この連通口は、スチーム噴出孔を下方に向けた状態で囲い壁の上面側となる部分に形成されていることを特徴とするスチームヘアーセッター。
【請求項２】
給水タンク内部に、スチーム噴出孔を下方に向けた状態で給水タンク内の水のレベルを連通口のレベルよりも常に下方に位置させるための空気溜まり部を形成したことを特徴とする請求項１記載のスチームヘアーセッター。
【発明の詳細な説明】
【０００１】
【発明の属する技術分野】
この発明は、スチームヘアーセッターに関するものである。
【０００２】
【従来の技術】
従来より、ブリスルが突設された器体内に、スチーム発生用のヒータと、給水タンク内の水をヒータに供給してスチームを発生させる吸水体とから成るスチーム発生機構を内蔵し、器体のブリスルが突設された面に設けたスチーム噴出孔からスチームを噴出させるようにしたスチームヘアーセッターが知られている。このスチームヘアーセッターにおいては、発生されたスチームが器体のヒータ以外の部分に接触して冷やされて結露となり、特にスチーム噴出孔が下向きとなるような本体の姿勢をとると、結露水が使用者の毛髪或いは他の部分に落ちるという問題がある。しかもスチームを発生させるためのヒータを内蔵するスチーム発生機構内部で発生している結露水は、ヒータから近いために比較的温度が高くなり、使用者に落ちた場合、熱く感じるという問題がある。
【０００３】
【発明が解決しようとする課題】
本発明は、上記従来例に鑑みてなされたもので、結露水が発生したり、滴下したりし易い本体の姿勢において、簡単な構造で、給水タンクからの給水量を制限することができ、結露水の量を確実に制限することができ、結露水の滴下を防いで安心して使用できるスチームヘアーセッターを提供することを課題とする。
【０００４】
【課題を解決するための手段】
上記課題を解決するために、本発明は、給水タンク６と、スチーム発生用のヒータ１０と、給水タンク６内の水をヒータ１０に供給してスチームを発生させる吸水体９と、スチームを噴出させるスチーム噴出孔１２とを備えたスチームヘアーセッターにおいて、給水タンク６内部に吸水体９を囲む囲い壁５０を設けると共に、囲い壁５０の一部に給水タンク６内部と囲い壁５０内部とを連通させる連通口５１を形成し、この連通口５１は、スチーム噴出孔１２を下方に向けた状態で囲い壁５０の上面側となる部分に形成されていることを特徴としており、このように構成することで、スチーム噴出孔１２を下方に向けた状態で囲い壁５０の上面側となる部分に連通口５１が位置することになり、連通口５１よりも下方に溜まる水の量が増えるので、給水タンク６内に多くの水が入っている場合でも、結露水が発生したり、滴下したりし易い本体の姿勢にしたときには、連通口５１から囲い壁５０内への給水制限を行なうことができる。つまり、結露水が発生したり、滴下したりし易い本体の姿勢にしたときに、給水タンク６内の水のレベルＷが連通口５１より下方に位置することとなるような囲い壁５０の箇所に連通口５１を予め設けておくことによって、上記のような本体の姿勢での給水タンク６からの給水量を制限することができ、この場合、囲い壁５０内に溜まっている水だけが吸水体９に供給されるので、囲い壁５０内の水がなくなると吸水体９への給水が停止されてスチームが発生しなくなり、特にスチーム発生機構内部での加熱された結露水の発生を制限することができる。従って、スチームヘアーセッターを通常に使用する際に、結露水が滴下するのを防止できるようになる。
【０００５】
また上記給水タンク６内部に、スチーム噴出孔１２を下方に向けた状態で給水タンク６内の水のレベルＷを連通口５１のレベルよりも常に下方に位置させるための空気溜まり部５２を形成するのが好ましく、この場合、空気溜まり部５２によって給水タンク６内は満水とはならず、水の入れ過ぎを容易に防止できると共に、給水タンク６内の水量が常に上方に開口した連通口５１よりも下方になるようにすることができるので、囲い壁５０内の水のみが吸水体９に給水されることとなり、確実な給水制限を行なうことができる。
【０００６】
【発明の実施の形態】
以下、本発明の実施形態の一例を説明する。
【０００７】
図１〜図７は本発明の参考例を示している。参考例のスチームヘアーセッターは、図２乃至図７に示すように、スチーム発生用のヒータ１０と、フェルトのような吸水体９とから成るスチーム発生機構を内蔵しているヘッド部４と、回路を内蔵しており使用時に保持する部分であるハンドル３とから成る本体１と、スチーム発生機構２へ水を供給する手段である給水タンク６と、本体１の給水タンク６とは反対側の端部に支持されて本体１に対して開閉自在となった基台７と、基台７の本体１側から見て裏面側に着脱自在に装着されるブラシ８とを備えている。そして、給水タンク６から吸水体９を介してヒータ１０へ供給された水は、ヒータ１０により加熱されて蒸気化し、この部分で発生したスチームは、スチーム発生機構２に設置された放電電極１１間の放電により、弱酸性化し、その粒子は微細化されて本体１のスチーム噴出孔１２から放出されるようになっている。ここで、図２〜図５は本体１のヘッド部４と基台７との間に髪を挟んで癖直しを行なう場合を示しており、図６及び図７は本体１にブラシ８を装着してブラッシングにより癖直しを行なう場合を示している。
【０００８】
また、ヘッド部４における髪と接する側には、図４に示すように、スチームが噴出するスチーム噴出孔１２が形成され、このスチーム噴出孔１２の両外側に押え板１６が夫々設置され、さらに押え板１６の両外側に複数本のブリスル１７が夫々設置されている。一方、基台７にも、本体１の押え板１６及びブリスル１７に夫々対向する位置に同様な押え板１６とブリスル１７とが夫々設置されている。また、本体１側の押え板１６は、スチームにより加熱されると共に、押え板１６の端部はヒータ１０と接触しており、ヒータ１０によって直接加熱されるので、押え板１６を熱板として使用できるものである。
【０００９】
一方、吸水体９に水を供給するための給水タンク６は、図１に示すように、本体１側に取付けられる底蓋６ａに吸水体９を挿入する挿入口が設けられており、給水タンク６内部には吸水体９の先端を覆うための囲い壁５０が配設されている。この囲い壁５０は、一端が開口し、他端が閉塞された略筒状に形成されており、この囲い壁５０の開口側の一端を
吸水体９側を向けるようにして囲い壁５０が給水タンク６の底蓋６ａに取付けられている。囲い壁５０の一部には、給水タンク６内部と囲い壁５０内部とを連通させるための連通口５１が形成されている。図１〜図７では、囲い壁５０の開口側の一端と反対側の他端中央の１箇所に小孔状の連通口５１が設けられており、給水タンク６が横向きの姿勢となったときに連通口５１は横向きとなり、スチーム噴射孔１２（図４）は下向きとなるような位置関係を有している。また、給水タンク６の前壁６ｂは平板状に形成され、後壁６ｃは略円弧状に形成されており、連通口５１より下方に多くの水を溜めることができるようになっており、さらに囲い壁５０は給水タンク６の底蓋６ａの中心部よりも後壁６ｃ寄りに片寄せ配置されている。これにより給水タンク６が横向きの姿勢となったときに囲い壁５０の連通口５１よりも下方に溜まる水の量が増え、給水タンク６内の水量をある程度確保しながら、給水タンク６内から囲い壁５０内への給水を制限できる構造となっている。尚、図中の５３は給水タンク６の内圧調整弁である。
【００１０】
しかして、給水タンク６内部に囲い壁５０を配設し、この囲い壁５０で吸水体９の先端側を覆うと共に、囲い壁５０の他端中央の１箇所に連通口５１を設け、給水タンク６内部と囲い壁５０内部とを連通させたことによって、結露水が発生したり、滴下したりし易い本体１の姿勢において、図１のように給水タンク６は横向きの姿勢となり、連通口５１も横向きとなり、スチーム噴出孔１２は下向きとなる。このとき、給水タンク６内にあまり多くの水が入っていないときには、給水タンク６内の水のレベルＷが連通口５１より下方になることによって、給水タンク６内から囲い壁５０内への給水が止まり、吸水体９への給水量が制限されることとなる。従って、囲い壁５０内に溜まっている水だけが吸水体９に供給されるようになり、囲い壁５０内の水がなくなると吸水体９への給水が停止されてスチームが発生しなくなり、特にスチーム発生機構内部での加熱された結露水の発生を制限することができる。従って、スチームヘアーセッターを通常に使用する際には、結露水が滴下する心配がなく、安心して使用できるようになる。しかも、通常の使用時には本体１は様々な姿勢をとるので、給水タンク６内の水が連通口５１から囲い壁５０内に断続的或いは連続的に供給されるので、吸水体９への給水が停止することなく、スチームを継続して発生させることができると共に、吸水体９は囲い壁５０で覆われているので、給水タンク６内の水が吸水体９に過剰供給されることがなく、結露水の発生防止に一層有利となる。そのうえ、給水量の制限手段として、囲い壁５０に連通口５１を設けるという簡単な構造であり、従来のようなチェック弁を用いていないので、組立て等による動作不良が生じる恐れがなくなり、確実な給水制限を行なうことができ、結露水を滴下させることなく安心して使用できるものである。
【００１１】
本発明の一実施形態を図８に示す。給水タンク６の横向きの姿勢で吸水体９への給水制限を行なう場合に限定されず、給水タンク６を縦向き姿勢としたときに給水制限を行なうようにしてもよいものであり、この場合、囲い壁５０に設けられる連通口５１は、給水タンク６の後壁６ｃ側に面した囲い壁５０の一側面に形成されている。他の構成は図１の参考例と同様である。しかして、給水タンク６を縦向きの姿勢としたときに、給水タンク６内にあまり多くの水が入っていない場合には、給水タンク６内の水のレベルＷが連通口５１より下方となり、給水タンク６内から囲い壁５０内への給水が制限されて、囲い壁５０内に溜まっている水だけが吸水体９に供給されるようになり、囲い壁５０内の水がなくなると吸水体９への給水がなくなることでスチームが発生しなくなり、結露水の発生を制限することができる。従って、図１の実施形態と同様、スチームヘアーセッターの通常の使用時に結露水が滴下するのを防止できるようになる。
【００１２】
図９は他の実施形態を示している。スチーム発生機構内部に発生した結露水は、スチーム噴出孔１２が下向きにあるときに、滴下し易いので、囲い壁５０の連通口５１を前記図１の実施形態に示すような位置に設けることが好ましいが、そうすると給水タンク６を縦向きの姿勢にしたときに給水が妨げられることが考えられる。そこで図９にあっては、図１と同様、給水タンク６の他端中央の１箇所に連通口５１を設けると共に、給水タンク６の後壁６ｃに面した囲い壁５０の一側面の下端部の別の箇所に連通口５１を追加するのが望ましい。この場合、スチーム噴出孔１２が下向きとなっている以外の通常の使用時にお
いて、追加された連通口５１から囲い壁５０内への給水が行なわれるので、囲い壁５０がスチーム発生機構に給水するのを妨げるのを防止できるようになる。なお、この実施形態では囲い壁５０の２箇所に連通口５１を設けた場合を説明したが、囲い壁５０の３箇所以上に複数の連通口５１を設けるようにしてもよい。
【００１３】
図１０〜図１２は更に他の実施形態を示している。図１０は、スチーム噴出孔１２を下方に向けた状態において、囲い壁５０の上面側となる部分に連通口５１を形成したものである。この連通口５１は、給水タンク６の後壁６ｃ側に面した囲い壁５０の一側面の略前面に亘って大きく開口しており、さらに囲い壁５０の開口端部５０ａは給水タンク６の後壁６ｃに近接して配置されている。従って、囲い壁５０の連通口５１よりも下方に溜まる水の量が増えるので、給水タンク６内に多くの水が入っている場合でも、給水タンク６を横向きにすることで、連通口５１から囲い壁５０内への給水が制限されることとなり、結露水の発生防止を図ることができる。
【００１４】
また図１０の構造に加えて、図１１に示すように、囲い壁５０及び囲い壁５０内に挿入される吸水体９の位置を給水タンク６の後壁６ｃ寄りに位置させるようにしたものであり、この場合、囲い壁５０の開口端部５０ａを給水タンク６の後壁６ｃにより近接して配置することができ、従って、囲い壁５０の連通口５１よりも下方に溜まる水の量が更に増えるので、給水タンク６内に多くの水が入っている場合において吸水体９への給水制限をより確実に行なうことができるようになる。
【００１５】
さらに、図１０の構造に加えて、図１２に示すように、給水タンク６内部に、スチーム噴出孔１２を下方に向けた状態で給水タンク６内の水のレベルＷを連通口５１のレベルよりも常に下方に位置させるための空気溜まり部５２を形成してもよいものである。この実施形態では、給水タンク６の底蓋６ａの一部に、スチーム噴出孔１２を下向きの姿勢にしたときに下方にくる位置に給水タンク６内に連通する中空の突出部５５を突設させてある。この突出部５５は水入れ口５４とは別に設けられており、通常は給水タンク６の底蓋６ａを上にして水入れ口５４から水が入れられるものであり、このとき、突出部５５が空気溜まり部５２となり、給水タンク６内は満水とはならない。従って、水入れ後にスチーム噴出孔１２が下方に向くような姿勢にすると、突出部５５内の空気が給水タンク６の上方に移動して、給水タンク６内の水量が常に連通口５１よりも下方となり、従って、囲い壁５０内への確実な給水制限が行なわれると共に、空気溜まり部５２によって給水タンク６内への水の入れ過ぎを確実に防止できるので、結露水の発生を確実に防止でき、使い勝手が一層良くなるものである。
【００１６】
【発明の効果】
以上説明したように、本発明のうち請求項１記載の発明は、給水タンクと、スチーム発生用のヒータと、給水タンク内の水をヒータに供給してスチームを発生させる吸水体と、スチームを噴出させるスチーム噴出孔とを備えたスチームヘアーセッターにおいて、給水タンク内部に給水体を囲む囲い壁を設けると共に、囲い壁の一部に給水タンク内部と囲い壁内部とを連通させる連通口を形成し、この連通口は、スチーム噴出孔を下方に向けた状態で囲い壁の上面側となる部分に形成したから、スチーム噴出孔を下方に向けた状態で囲い壁の上面側となる部分に連通口が位置するようになり、囲い壁の連通口よりも下方に溜まる水の量が増えるので、給水タンク内に多くの水が入っている場合でも、結露水が発生したり、滴下したりし易い本体の姿勢にしたときには、連通口から囲い壁内への給水制限が行なわれ、結露水の発生防止を図ることができる。つまり、結露水が発生したり、滴下したりし易い本体の姿勢において、給水タンク内の水のレベルを囲い壁の連通口よりも下方に位置させることによって、給水タンクからの給水量を制限することができ、この場合、囲い壁内に溜まっている水だけが吸水体に供給されるので、囲い壁内の水がなくなると吸水体への給水が停止されてスチームが発生しなくなり、特にスチーム発生機構内部での加熱された結露水の発生を制限することができる。従って、スチームヘアーセッターを通常に使用する際に、結露水が滴下するのを防止できる。しかも、囲い壁で吸水体を覆うことによって、給水タンク内の水が囲い壁内に過剰供給されることがなく、結露水の発生防止に一層有利となると共に、給水量の制限手段として、囲い壁に連通口を設けるという簡
単な構造であるので、従来のような組立て等による動作不良が生じる恐れがなく、確実な給水制限を行なうことができて、結露水を滴下させることなく安心して使用できるものである。
【００１７】
また請求項２記載の発明は、請求項１記載の給水タンク内部に、スチーム噴出孔を下方に向けた状態で給水タンク内の水のレベルを連通口のレベルよりも常に下方に位置させるための空気溜まり部を形成したから、請求項１記載の効果に加えて、空気溜まり部によって給水タンク内は満水とはならず、従って、結露水が発生したり、滴下したりし易い本体の姿勢にしたときには、連通口から囲い壁内への給水制限が行なわれ、結露水の発生防止を図ることができると共に、給水タンク内への水の入れ過ぎを確実に防止でき、使い勝手が一層良くなる。
【図面の簡単な説明】
【図１】本発明の参考例を説明する断面図である。
【図２】同上のスチームヘアーセッターの斜視図である。
【図３】同上の本体と基台を閉じた状態の斜視図である。
【図４】同上のスチームヘアーセッターの側面断面図である。
【図５】同上の本体と基台を開いた状態の断面図である。
【図６】同上の基台にブラシを装着した状態の斜視図である。
【図７】図６のスチームヘアーセッターの側面断面図である。
【図８】本発明の一実施形態の断面図である。
【図９】他の実施形態の断面図である。
【図１０】更に他の実施形態の断面図である。
【図１１】更に他の実施形態の断面図である。
【図１２】更に他の実施形態の断面図である。
【符号の説明】
６  給水タンク
９  吸水体
１０  ヒータ
１２  スチーム噴出孔
５０  囲い壁
５１  連通口
５２  空気溜まり部
【図１】
0003610717.tif 000002
【図２】
0003610717.tif 000003
【図３】
0003610717.tif 000004
【図４】
0003610717.tif 000005
【図５】
0003610717.tif 000006
【図６】
0003610717.tif 000007
【図７】
0003610717.tif 000008
【図８】
0003610717.tif 000009
【図９】
0003610717.tif 000010
【図１０】
0003610717.tif 000011
【図１１】
0003610717.tif 000012
【図１２】
0003610717.tif 000013